(57)【特許請求の範囲】
【請求項１】
フード１と、電動モータ１１でファン１２を回転する送風機１０と、運転状態選択手段を備え、前記運転状態選択手段で選択した運転信号に応じて前記電動モータ１１のモータ巻き線への通電を変えることで、その電動モータ１１の回転速度を切り替えて運転状態を変更するレンジフードの運転制御方法であって、
前記レンジフード運転時に、前記運転状態選択手段で異なる運転信号を選択し、電動モータ１１の回転速度を切り替えるときに、その回転速度を切り替える前のモータ巻き線の通電状態を維持しながら選択した運転信号に対応したモータ巻き線の通電状態に変え、その後に所定時間経過したら前述の回転速度を切り替える前のモータ巻き線の通電状態を中立とすることで、電動モータ１１の回転速度を選択した運転信号に対応した値とすることを特徴とするレンジフードの運転制御方法。
【請求項２】
前記電動モータ１１の回転速度は、そのモータ巻き線への通電を変える複数のスイッチのいずれか１つを、選択した運転信号に応じてＯＮすることで切り替えられ、
前記いずれか１つのスイッチがＯＮしている状態で、異なる運転信号が入力されたときに、ＯＮしていたスイッチをＯＮのまま他の１つのスイッチをＯＮとし、その後所定時間経過したら前記ＯＮしていたスイッチをＯＦＦとするようにした請求項１記載のレンジフードの運転制御方法。
【請求項３】
フード１と、電動モータ１１でファン１２を回転する送風機１０と、運転状態選択手段を備え、前記運転状態選択手段で選択した運転信号に応じて前記電動モータ１１のモータ巻き線への通電を変えることで、その電動モータ１１の回転速度を切り替えて運転状態を変更するレンジフードの運転制御方法であって、
前記レンジフード運転時に、前記運転状態選択手段で複数段を越えた異なる運転信号を選択し、電動モータ１１の回転速度を複数速度段を越えて切り替えるときに、その回転速度を切り替える前のモータ巻き線の通電状態を維持しながら、その運転信号と前記選択した運転信号の中間の運転信号に対応したモータ巻き線の通電状態に変え、その後に所定時間経過したら前述の回転速度を切り替える前のモータ巻き線の通電状態を中立とし、この後に、前記中間の運転信号に対応したモータ巻き線の通電状態を維持しながら、前記選択した運転信号に対応したモータ巻き線の通電状態に変え、その後に所定時間経過したら前述の中間の運転信号に対応したモータ巻き線の通電状態を中立とすることで、電動モータ１１の回転速度を選択した運転信号に対応した値とすることを特徴とするレンジフードの運転制御方法。
【請求項４】
前記運転状態選択手段で３段以上を越えた異なる運転信号を選択したときに、前述の中間の運転信号を１段ごとの運転信号として電動モータ１１の回転速度を速度段ごとに順次制御するようにした請求項３記載のレンジフードの運転制御方法。
【請求項５】
前記運転状態選択手段は、第１スイッチ４４をＯＮする弱運転信号、第２スイッチ４５をＯＮする中運転信号、第３スイッチ４６をＯＮする強運転信号を選択でき、
前記電動モータ１１の回転速度は、そのモータ巻き線への通電を変える前記第１スイッチ４４をＯＮすると低速、前記第２スイッチ４５をＯＮすると中速、前記第３スイッチ４６をＯＮすると高速に切り替えられ、
前記強運転信号を選択して第３スイッチ４６がＯＮした強運転状態で、前記弱運転信号を選択したときに、第３スイッチ４６をＯＮしたまま第２スイッチ４５をＯＮし、その後所定時間経過したら第３スイッチ４６をＯＦＦし、この後に第２スイッチ４５をＯＮしたまま第１スイッチ４４をＯＮし、その後所定時間経過したら第２スイッチ４５をＯＦＦとして電動モータ１１を低速回転とするようにした請求項３記載のレンジフードの運転制御方法。
【請求項６】
前記運転状態選択手段は、第１スイッチ４４をＯＮする弱運転信号、第２スイッチ４５をＯＮする中運転信号、第３スイッチ４６をＯＮする強運転信号を選択でき、
前記電動モータ１１の回転速度は、そのモータ巻き線への通電を変える前記第１スイッチ４４をＯＮすると低速、前記第２スイッチ４５をＯＮすると中速、前記第３スイッチ４６をＯＮすると高速に切り替えられ、
前記弱運転信号を選択して第１スイッチ４４がＯＮした弱運転状態で、前記強運転信号を選択したときに、第１スイッチ４４をＯＮしたまま第２スイッチ４５をＯＮし、その後所定時間経過したら第１スイッチ４４をＯＦＦし、この後に第２スイッチ４５をＯＮしたまま第３スイッチ４６をＯＮし、その後所定時間経過したら第２スイッチ４５をＯＦＦとして電動モータ１１を高速回転とするようにした請求項３記載のレンジフードの運転制御方法。
【請求項７】
フード１と、電動モータ１１でファン１２を回転する送風機１０と、運転状態選択手段と、この運転状態選択手段から運転信号が送られることで前記電動モータ１１の回転速度を制御するモータ制御部３０を備え、
このモータ制御部３０は、請求項１に記載の動作機能を有することを特徴とするレンジフードの運転制御装置。
【請求項８】
フード１と、電動モータ１１でファン１２を回転する送風機１０と、３つ以上の運転信号を出力する運転状態選択手段と、この運転状態選択手段から運転信号が送られることで、前記電動モータ１１を３速度段以上の回転速度に制御するモータ制御部３０を備え、
このモータ制御部３０は、請求項３に記載の動作機能を有することを特徴とするレンジフードの運転制御装置。
【発明の詳細な説明】
【技術分野】
【０００１】
本発明は、レンジフードのファンの回転を制御してレンジフードを強運転、中運転、弱運転等とするレンジフードの運転制御方法、及びその方法を実施する運転制御装置に関する。
【背景技術】
【０００２】
レンジフードとしては、フード内に送風機を設け、その送風機を駆動することで、調理時に発生した油煙などをフード内に捕集し、屋外に排出するものが一般的である。
このようなレンジフードにおいては、送風機を電動モータでファンを回転するものとし、そのファンの回転を制御することでレンジフードの運転を制御することが一般的に知られている。
例えば、特許文献１に開示したように、フードの前面にスイッチを取付ける。このスイッチは、複数の運転釦、例えば強釦、中釦、弱釦、切釦を備え、その強釦を押すことで電動モータが高速度段で駆動し、ファンが高速回転してレンジフードは強運転となる。
同様に、中釦、弱釦を押すことで電動モータが中速度段で駆動、低速度段で駆動し、ファンが中速回転、低速回転してレンジフードは中運転、弱運転となる。
前記切釦を押すことで電動モータが停止し、ファンも停止してレンジフードは運転停止となる。
【先行技術文献】
【特許文献】
【０００３】
【特許文献１】特開平１０−１３２３５１号公報
【発明の概要】
【発明が解決しようとする課題】
【０００４】
前述した従来のレンジフードに用いる送風機は、電動モータとファンを備え、そのファンを、電動モータのモータ軸に設けた雄ねじに対してファン側から雌ねじを持つ固定金具（つまみ）によって締め付け固定されるのが一般的であるが、このようであるとファンのモータ軸への着脱が面倒である。
近年、このことを解消して、ファンをモータ軸にワンタッチで着脱できるようにした簡易脱着構造の送風機が種々提案されている。
例えば、電動モータのモータ軸に係合溝を設け、ファンに係合片を有した着脱機構部を設け、この係合片を前記係合溝に引っかけて係合することでモータ軸にファンを取り付けた送風機が提案されている。
【０００５】
前述した簡易脱着構造の送風機を用いたレンジフードにあっては、スイッチの運転釦を操作して送風機の電動モータの回転速度を切り替え、ファンの回転速度を変えることで、レンジフードの運転状態を変更するが、その回転速度を切り替えるときに、特に急激に切り替えるときに、送風機から異音が発生する恐れがあった。
すなわち、前述した簡易脱着構造の送風機は、そのファンのモータ軸への取り付け強度（係合力）が、前述した従来の一般的な送風機の取り付け強度と比較して弱いために、送風機の電動モータの回転速度を切り替えるときに、モータ軸に設けられている回り止め部とファンに設けられた回り止め係合溝とが衝突するなどして異音が発生する恐れがあった。
【０００６】
本発明の目的は、レンジフードの運転状態を変更するために、送風機の電動モータの回転速度を切り替えるときに、送風機から異音が発生する恐れがないようにしたレンジフードの運転制御方法及び装置とすることである。
【課題を解決するための手段】
【０００７】
本発明者等は、前述の送風機の電動モータの回転速度を切り替えるときに、送風機から異音が発生する原因を鋭意研究、実験した結果、次のことを見出し本発明に至った。
通常のレンジフードにおいては、ＡＣ電動モータでファンを駆動する送風機を用いている。
この送風機の電動モータは、レンジフードの運転状態を弱運転、中運転、強運転などの各運転状態とするために、その運転状態に合った回転速度となるように、複数のモータ巻き線、例えば高速用モータ巻き線、中速用モータ巻き線、低速用モータ巻き線を備えている。
【０００８】
そして、レンジフードの運転状態を変更するために、スイッチの運転釦を操作することで、モータ巻き線への通電を切り替えることで、電動モータの回転速度をレンジフードの運転状態に見合う値としている。
前述のように、送風機の電動モータの回転速度を切り替える際、すなわちモータ巻き線への通電を切り替えるときに、その切り替える前に通電していたモータ巻き線への通電を遮断し、その後に指示された運転状態に見合う回転速度となるようにモータ巻き線への通電を開始するようにしているが、モータ巻き線への通電を切り替える間に、モータ巻き線へ通電されない無通電時間が、わずかに生じてしまっている（例えば、２０〜３０ｍｓ）。
つまり、モータ巻き線への通電を遮断してから再びモータ巻き線へ通電するまでの間にわずかな時間が生じ、その時間が無通電時間である。
【０００９】
このために、電動モータの回転速度は、前述の無通電状態のときに急激に低下し、その無通電状態が経過して前記モータ巻き線へ通電開始されることで、電動モータの回転速度が急激に速くなり、モータ軸のトルクが急激に変化（増大）する。このことが前述の送風機から異音が発生する原因の１つであった。
【００１０】
以上のことから、本発明者等は、前述の無通電時間を短くしていくことで送風機の異音の発生を抑えられることを見出した。具体的には、無通電時間が２〜３ｍｓ以下とすることで、送風機の異音の発生を大きく抑えられることを見出した。
【００１１】
しかしながら、前述のようにしたのでは、わずかではあるが無通電状態があるため、送風機の異音の発生を完全に防止できなかった。
【００１２】
本発明者等は、前述のことに鑑み、さらに鋭意研究、実験した結果、本発明を見出した。
【００１３】
本発明の第１のレンジフードの運転制御方法は、フード１と、電動モータ１１でファン１２を回転する送風機１０と、運転状態選択手段を備え、前記運転状態選択手段で選択した運転信号に応じて前記電動モータ１１のモータ巻き線への通電を変えることで、その電動モータ１１の回転速度を切り替えて運転状態を変更するレンジフードの運転制御方法であって、
前記レンジフード運転時に、前記運転状態選択手段で異なる運転信号を選択し、電動モータ１１の回転速度を切り替えるときに、その回転速度を切り替える前のモータ巻き線の通電状態を維持しながら選択した運転信号に対応したモータ巻き線の通電状態に変え、その後に所定時間経過したら前述の回転速度を切り替える前のモータ巻き線の通電状態を中立とすることで、電動モータ１１の回転速度を選択した運転信号に対応した値とすることを特徴とするレンジフードの運転制御方法である。
【００１４】
第１のレンジフードの運転制御方法においては、前記電動モータ１１の回転速度は、そのモータ巻き線への通電を変える複数のスイッチのいずれか１つを、選択した運転信号に応じてＯＮすることで切り替えられ、
前記いずれか１つのスイッチがＯＮしている状態で、異なる運転信号が入力されたときに、ＯＮしていたスイッチをＯＮのまま他の１つのスイッチをＯＮとし、その後所定時間経過したら前記ＯＮしていたスイッチをＯＦＦとするようにしたレンジフードの運転制御方法とすることができる。
【００１５】
このようにすれば、選択した運転信号でスイッチをＯＮ，ＯＦＦすれば良いので、その制御が容易である。
【００１６】
本発明の第２のレンジフードの運転制御方法は、フード１と、電動モータ１１でファン１２を回転する送風機１０と、運転状態選択手段を備え、前記運転状態選択手段で選択した運転信号に応じて前記電動モータ１１のモータ巻き線への通電を変えることで、その電動モータ１１の回転速度を切り替えて運転状態を変更するレンジフードの運転制御方法であって、
前記レンジフード運転時に、前記運転状態選択手段で複数段を越えた異なる運転信号を選択し、電動モータ１１の回転速度を複数速度段を越えて切り替えるときに、その回転速度を切り替える前のモータ巻き線の通電状態を維持しながら、その運転信号と前記選択した運転信号の中間の運転信号に対応したモータ巻き線の通電状態に変え、その後に所定時間経過したら前述の回転速度を切り替える前のモータ巻き線の通電状態を中立とし、この後に、前記中間の運転信号に対応したモータ巻き線の通電状態を維持しながら、前記選択した運転信号に対応したモータ巻き線の通電状態に変え、その後に所定時間経過したら前述の中間の運転信号に対応したモータ巻き線の通電状態を中立とすることで、電動モータ１１の回転速度を選択した運転信号に対応した値とすることを特徴とするレンジフードの運転制御方法である。
【００１７】
第２のレンジフードの運転制御方法においては、前記運転状態選択手段で３段以上を越えた異なる運転信号を選択したときに、前述の中間の運転信号を１段ごとの運転信号として電動モータ１１の回転速度を速度段ごとに順次制御するようにしたレンジフードの運転制御方法とすることができる。
【００１８】
このようにすれば、電動モータ１１の回転速度が、切り替える前の回転速度から選択した運転信号に対応した回転速度に、１速度段ごとに順次制御されるので、電動モータ１１の回転速度が急激に変化することがない。
【００１９】
第２のレンジフードの運転制御方法においては、前記運転状態選択手段は、第１スイッチ４４をＯＮする弱運転信号、第２スイッチ４５をＯＮする中運転信号、第３スイッチ４６をＯＮする強運転信号を選択でき、
前記電動モータ１１の回転速度は、そのモータ巻き線への通電を変える前記第１スイッチ４４をＯＮすると低速、前記第２スイッチ４５をＯＮすると中速、前記第３スイッチ４６をＯＮすると高速に切り替えられ、
前記強運転信号を選択して第３スイッチ４６がＯＮした強運転状態で、前記弱運転信号を選択したときに、第３スイッチ４６をＯＮしたまま第２スイッチ４５をＯＮし、その後所定時間経過したら第３スイッチ４６をＯＦＦし、この後に第２スイッチ４５をＯＮしたまま第１スイッチ４４をＯＮし、その後所定時間経過したら第２スイッチ４５をＯＦＦとして電動モータ１１を低速回転とするようにしたレンジフード運転制御方法とすることができる。
【００２０】
このようにすれば、選択した運転信号で第１・第２・第３スイッチ４４，４５，４６をＯＮ，ＯＦＦすれば良いので、制御が容易である。
【００２１】
第２のレンジフードの運転制御方法においては、前記運転状態選択手段は、第１スイッチ４４をＯＮする弱運転信号、第２スイッチ４５をＯＮする中運転信号、第３スイッチ４６をＯＮする強運転信号を選択でき、
前記電動モータ１１の回転速度は、そのモータ巻き線への通電を変える前記第１スイッチ４４をＯＮすると低速、前記第２スイッチ４５をＯＮすると中速、前記第３スイッチ４６をＯＮすると高速に切り替えられ、
前記弱運転信号を選択して第１スイッチ４４がＯＮした弱運転状態で、前記強運転信号を選択したときに、第１スイッチ４４をＯＮしたまま第２スイッチ４５をＯＮし、その後所定時間経過したら第１スイッチ４４をＯＦＦし、この後に第２スイッチ４５をＯＮしたまま第３スイッチ４６をＯＮし、その後所定時間経過したら第２スイッチ４５をＯＦＦとして電動モータ１１を高速回転とするようにしたレンジフード運転制御方法とすることができる。
【００２２】
このようにすれば、選択した運転信号で第１・第２・第３スイッチ４４，４５，４６をＯＮ，ＯＦＦすれば良いので、制御が容易である。
【００２３】
本発明の第１のレンジフードの運転制御装置は、フード１と、電動モータ１１でファン１２を回転する送風機１０と、運転状態選択手段と、この運転状態選択手段から運転信号が送られることで前記電動モータ１１の回転速度を制御するモータ制御部３０を備え、
このモータ制御部３０は、請求項１に記載の動作機能を有することを特徴とするレンジフードの運転制御装置である。
【００２４】
本発明の第２のレンジフードの運転制御装置は、フード１と、電動モータ１１でファン１２を回転する送風機１０と、３つ以上の運転信号を出力する運転状態選択手段と、この運転状態選択手段から運転信号が送られることで、前記電動モータ１１を３速度段以上の回転速度に制御するモータ制御部３０を備え、
このモータ制御部３０は、請求項３に記載の動作機能を有することを特徴とするレンジフードの運転制御装置である。
【発明の効果】
【００２５】
本発明によれば、電動モータ１１の回転速度を切り替えるときに、そのモータ巻き線に通電されてない無通電時間がないので、電動モータ１１のトルクが大きく変化することがない。
したがって、レンジフードの運転状態を変更するために、送風機１０の電動モータ１１の回転速度を切り替えるときに、送風機１０から異音が発生する恐れがない。
【００２６】
本発明の第２のレンジフードの運転制御方法によれば、レンジフードの運転状態を、複数段を越えて変更するときに、電動モータ１１の回転速度は複数の速度段の中間の速度段を経て制御されるので、電動モータ１１のトルクが大きく変化することがない。
したがって、レンジフードの運転状態を変更するために、送風機１０の電動モータ１１の回転速度を切り替えるときに、送風機１０から異音が発生する恐れがない。
【図面の簡単な説明】
【００２７】
【図１】本発明の実施の形態を示すレンジフードの全体一部破断側面図である。
【図２】電動モータの制御装置の概略説明図である。
【図３】電動モータの回転速度制御部の詳細説明図である。
【図４】レンジフードを弱運転から中運転に変更する動作タイミングチャートである
【図５】レンジフードを中運転から強運転に変更する動作タイミングチャートである
【図６】レンジフードを中運転から弱運転に変更する動作タイミングチャートである
【図７】レンジフードを強運転から中運転に変更する動作タイミングチャートである
【図８】レンジフードを弱運転から強運転に変更する動作タイミングチャートである
【図９】レンジフードを強運転から弱運転に変更する動作タイミングチャートである
【発明を実施するための形態】
【００２８】
図１に示すように、本発明のレンジフードは、フード１と送風機１０とレンジフードの運転状態を選択する手段、例えばスイッチ２０を備え、そのスイッチ２０を操作して送風機１０を駆動することで、調理時に発生した油煙などを空気とともにフード１内に捕集して屋外に排出する。
前記送風機１０は、電動モータ１１のモータ軸１１ａにファン１２を取付け、その電動モータ１１を駆動することでモータ軸１１ａとともにファン１２を回転し、レンジフードを運転する。
【００２９】
図１に示すレンジフードを詳細に説明する。
フード１は、上面板２と周面板３で下面が開口した箱形状で、そのフード１内にフィルター４と整流板５が設けてある。
前記送風機１０は、ケーシング１３内にファン１２を設け、そのケーシング１３に設けた電動モータ１１のモータ軸１１ａにファン１２を取付けてある。
この送風機１０はフード１内に設けてあり、ファン１２を回転することで吸込口１４から空気を吸い込み、排出ダクト１５に吐出する。
前記スイッチ２０は周面板３の前面３ａに取付けてある。
本発明の運転制御装置は、前述した図１に示すレンジフードに限ることはなく、従来から知られている各種のレンジフードに適用できることは勿論である。
【００３０】
前記送風機１０の電動モータ１１は、モータ巻き線の通電状態を変えることで、レンジフードの複数の運転状態に見合う複数の回転速度に切り替えできるものである。
前記スイッチ２０は、図２に示すように、レンジフードの運転状態を選択する複数の運転釦、例えば弱釦２１、中釦２２、強釦２３、切釦２４を備え、いずれか１つの運転釦を操作することで運転信号がモータ制御部３０に入力される。
前記モータ制御部３０は、入力された運転信号に応じて電動モータ１１の回転速度を切り替え、レンジフードをいずれか１つの運転状態とする。
例えば、弱釦２１を操作して弱運転信号がモータ制御装置３０に入力されたときには、電動モータ１１を低速度段に対応した低速度に切り替え、ファン１２を低速回転してレンジフードを弱運転とする。
同様に、弱釦２１よりも１段速い方の中釦２２、中釦２２よりも１段速い方の強釦２３を操作して弱運転信号よりも１段速い中運転信号、中運転信号よりも１段速い強運転信号がモータ制御装置３０に入力されたときには、電動モータ１１を中速度段、高速度段に対応した中速度、高速度に切り替えてファン１２を中速回転、高速回転してレンジフードを中運転、強運転とする。
前記切釦２４を操作したときには停止信号がモータ制御装置３０に入力されて電動モータ１１を停止し、ファン１２を停止してレンジフードを運転停止する。
【００３１】
前述の図２に示すスイッチ２０は、照明釦２５を有し、その照明釦２５を操作すると図示しないランプが点燈するようにしてある。
前述のスイッチ２０は、押釦タイプに限ることはなく、タッチタイプなどでも良いし、リモコンスイッチとすることができる。
【００３２】
次に、電動モータの回転速度の切り替えについて説明する。
前記電動モータ１１は図３に示すように、複数のモータ巻き線、例えば第１モータ巻き線４１、第２モータ巻き線４２、第３モータ巻き線４３を有し、その各モータ巻き線４１，４２，４３は第１・第２・第３スイッチ４３，４４，４５のＯＮ，ＯＦＦで通電制御される。
前記第１スイッチ４４をＯＮして第１・第２・第３モータ巻き線４１，４２，４３に通電することで低速度で回転する。
前記第２スイッチ４５をＯＮして第２・第３モータ巻き線４２，４３に通電することで中速度で回転する。
前記第３スイッチ４６をＯＮして第３モータ巻き線４３に通電することで高速度で回転する。
前記モータ制御部３０は、前記スイッチ２０から入力される運転信号に基づいて前述の第１・第２・第３スイッチ４４，４５，４６をＯＮ，ＯＦＦしてモータ巻き線の通電状態を変える。
【００３３】
次に、レンジフードの運転制御方法を説明する。
レンジフードの運転状態を変更するために、前記スイッチ２０を操作して異なる運転信号を選択することで、前記モータ巻き線への通電を切り替えて電動モータ１１の回転速度を切り替える際に、その回転速度を切り替える前に通電していたモータ巻き線への通電を遮断せずに、その通電状態を維持し、スイッチ２０で選択された運転信号に対応したモータ巻き線へと通電開始して通電状態を変更し、その後に所定時間経過したら前述の回転速度を切り替える前に通電していたモータ巻き線への通電を遮断し、通電状態を中立とする。
すなわち、電動モータの回転速度を切り替えるときに、切り替えられる前後のモータ巻き線への通電状態を所定時間オーバーラップしてモータ巻き線への通電状態を変える。
【００３４】
このようにすることで、電動モータの回転速度を切り替えるときに、モータ巻き線に通電されない無通電時間がなくなり、電動モータの回転速度が著しく低下することがないので、電動モータの回転速度が急激に変化して大きなトルク変化が生じることが完全になくなり、レンジフードの運転状態を変更するために、送風機の電動モータの回転速度を切り替えるときに、送風機から異音が発生する恐れがない。
【００３５】
前述の動作を図３に示す運転制御装置に基づいて説明する。
（レンジフードを弱運転から中運転に変更）
スイッチ２０の弱釦２１を操作して弱運転信号をモータ制御部３０に送り、そのモータ制御部３０が第１スイッチ４４をＯＮし、第２・第３スイッチ４５，４６がＯＦＦとして第１・第２・第３モータ巻き線４１，４２，４３に通電して電動モータ１１を低速度で回転し、レンジフードを弱運転している状態とする。
【００３６】
前述の状態において、レンジフードを中運転状態に変更するために、スイッチ２０の中釦２２を操作して中運転信号をモータ制御部３０に送ると、そのモータ制御部３０は、前述の第１スイッチ４４をＯＮとしたまま第２スイッチ４５をＯＮとして第１・第２・第３モータ巻き線４１，４２，４３に通電したままとする。
この後、所定時間経過したらモータ制御部３０は第１スイッチ４４をＯＦＦし、第２・第３モータ巻き線４２，４３に通電し、モータ回転速度と中速とする。
【００３７】
このようにすることで、モータ回転速度を低速度から中速度に切り替えるときに、第１スイッチ４４と第２スイッチ４５が所定時間だけオーバーラップしてＯＮとなるから、第３モータ巻き線４３、第２モータ巻き線４２に通電されないこと、つまりモータ巻き線への無通電時間がないので、前述のように大きなトルク変化が生じることがない。前述のオーバーラップ時間は、例えば１０ｍｓｅｃである。
【００３８】
（レンジフードを中運転から強運転に変更）
前述の状態において、スイッチ２０の強釦２３を操作して強運転信号をモータ制御部３０に送ると、そのモータ制御部３０は、前述の第２スイッチ４５をＯＮしたまま第３スイッチ４６をＯＮとし、第２・第３モータ巻き線４２，４３に通電したままとする。
この後、所定時間経過したらモータ制御部３０は、第２スイッチ４５をＯＦＦし、第３モータ巻き線４３にのみ通電し、モータの回転速度を高速とする（図５参照）。
【００３９】
このようにすることで、モータ回転速度を中速度から高速度に切り替えるときに、前述と同様に第２・第３モータ巻き線４２，４３への無通電時間がないので、大きなトルク変化が生じることがない。
【００４０】
（レンジフードを中運転から弱運転に変更）
前述のように、第２スイッチ４５がＯＮして第２・第３モータ巻き線４２，４３に通電してモータ回転速度が中速の状態において、スイッチ２０の弱釦２１を操作して弱運転信号をモータ制御部３０に送ると、そのモータ制御部３０は第２スイッチ４５をＯＮしたまま第１スイッチ４４をＯＮとし、第１・第２・第３モータ巻き線４１，４２，４３に通電し、モータ回転手段を低速とする。
この後、所定時間経過したらモータ制御部３０は、第２スイッチ４５をＯＦＦする（図６参照）。
【００４１】
このようにすることで、モータ回転速度を中速度から低速度に切り替えるときに、前述と同様に第２・第３モータ巻き線４２，４３への無通電時間がないので、大きなトルク変化が生じることがない。
【００４２】
（レンジフードを強運転から中運転に変更）
前述のように、第３スイッチ４６がＯＮして第３モータ巻き線４３に通電してモータ回転速度が高速の状態において、スイッチ２０の中釦２２を操作して中運転信号をモータ制御部３０に送ると、そのモータ制御部３０は第３スイッチ４６をＯＮしたまま第２スイッチ４５をＯＮし、第２・第３モータ巻き線４２，４３に通電してモータ回転速度を中速とする。
この後、所定時間経過したらモータ制御部３０は、第３スイッチ４６をＯＦＦする（図７参照）
【００４３】
このようにすることで、モータ回転速度を高速度から中速度に切り替えるときに、前述と同様に第２・第３モータ巻き線４２，４３への無通電時間がないので、大きなトルク変化が生じることがない。
【００４４】
前述したように、電動モータ１１の回転速度を増速、減速することで、レンジフードの運転状態を変更するときに、電動モータに大きなトルク変化が生じないようにできる。
しかし、前述した説明は、レンジフードの運転状態を１段ごとに変更、つまり電動モータ１１を１つの速度段ごとに増速、減速する場合、例えば弱運転から中運転（低速から中速）、中運転から強運転（中速から高速）、強運転から中運転（高速から中速）、中運転から弱運転（中速から低速）に切り替える場合である。
これに対してレンジフードの運転状態を複数段を越えて変更、つまり電動モータ１１を複数の速度段を越えて増速、減速する場合、例えば強運転から弱運転（高速から低速）、弱運転から強運転（低速から高速）に切り替える場合には、運転状態を変更する途中に、中運転を挟むことで、運転状態が急激に変更することをより確実に防止できる。
【００４５】
つまり、電動モータ１１の回転速度を２段以上遅い方、又は速い方に切り替え、レンジフードの運転状態を２つの状態以上遅い又は速い運転状態に変更する場合には、電動モータ１１の回転速度差が大きく、電動モータ１１のトルク変化が大きくなるので、この場合には、電動モータ１１の回転速度を、切り替え前の現在の速度と切り替え後の目標速度との中間の速度に切り替え、その後に目標速度に切り替えるようにして、電動モータ１１の回転速度差を小さくし、トルク変化を小さくする。
【００４６】
次に、前述の動作を説明する。
（レンジフードを弱運転から強運転に変更）
前述にように、第１スイッチ４４がＯＮして第１・第２・第３モータ巻き線４１，４２，４３に通電し、電動モータ１１を低速回転してレンジフードを弱運転している状態において、スイッチ２０の強釦２３を操作してモータ制御部３０に強運転信号を送ると、そのモータ制御部３０は、設定時間経過後に、第１スイッチ４４をＯＮしたまま第２のスイッチ４５をＯＮする。
前記第２スイッチ４５がＯＮしてから所定時間経過後に第１スイッチ４４をＯＦＦし、電動モータ１１の回転速度を低速から中速に切り替え、レンジフードを中運転状態に変更する。
このとき、第１スイッチ４４と第２スイッチ４５は所定時間だけオーバーラップしてＯＮするので、電動モータ１１の回転速度を低速から中速に切り替えるときに無通電時間がなく、大きなトルク変化が生じない。
【００４７】
前記第２スイッチ４５がＯＮしてから設定時間を経過後に第２スイッチ４５をＯＮしたまま第３スイッチ４６をＯＮする。
前述したように、第３スイッチ４６がＯＮしてから所定時間経過後に第２スイッチ４５をＯＦＦし、電動モータ１１の回転速度を中速から高速に切り替え、レンジフードを強運転状態に変更する。
このとき、第２スイッチ４５と第３スイッチ４６は所定時間だけオーバーラップしてＯＮするので、電動モータ１１の回転速度を中速から高速に切り替えるときに無通電時間がなく、大きなトルク変化が生じない（図８参照）。
前述のオーバーラップ時間（所定時間）は、例えば１０ｍｓｅｃ。
前述の設定時間は、例えば１ｓｅｃで、オーバーラップ時間よりも長い。
【００４８】
（レンジフードを強運転から弱運転に変更）
前述したように、第３スイッチ４６をＯＮして第３モータ巻き線４３に通電し、電動モータ１１を高速回転してレンジフードを強運転している状態において、スイッチ２０の弱釦２１を操作してモータ制御部３０に弱運転信号を送ると、そのモータ制御部３０は、設定時間経過後に、第３スイッチ４６をＯＮしたまま第２スイッチ４５をＯＮする。
前記第２スイッチ４５がＯＮしてから所定時間経過後に第３スイッチ４６をＯＦＦし、電動モータ１１の回転速度を高速から中速に切り替え、レンジフードを中運転状態に変更する。
このとき、第３スイッチ４６と第２スイッチ４５は所定時間だけオーバーラップしてＯＮするので、電動モータ１１の回転速度を高速から中速に切り替えるときに無通電時間がなく、大きなトルク変化が生じない。
【００４９】
前記第２スイッチ４５がＯＮしてから設定時間経過後に第２スイッチ４５をＯＮしたまま第１スイッチ４４をＯＮする。
前述したように、第１スイッチ４４がＯＮしてから所定時間経過後に第２スイッチ４５をＯＦＦし、電動モータ１１の回転速度を中速から低速に切り替え、レンジフードを弱運転状態に変更する。
このとき、第２スイッチ４５と第１スイッチ４４は所定時間だけオーバーラップしてＯＮするので、電動モータ１１の回転速度を中速から低速に切り替えるときに無通電時間がなく、大きなトルク変化が生じない（図９参照）。
【００５０】
前述の説明では、レンジフードの運転状態を強・中・弱の３段に変更し、電動モータ１１の回転速度は高速・中速・低速の３速度段に切り替えるようにしたが、これに限ることはなく、レンジフードの運転状態は２段又は４段以上に変更しても良い。この場合には、電動モータ１１の回転速度を２速度段又は４速度段以上に切り替えるようにする。
【００５１】
前述のように、運転状態を４段以上に変更するレンジフードの場合に、運転状態選択手段で３段以上を越えた異なる運転信号を選択し、電動モータ１１の回転速度を３速度段以上を越えて切り替えるときには、切り替える前の運転信号と選択した運転信号との間の２つ以上の運転信号のいずれか１つの運転信号を、前述した中間の運転信号として制御（第１の運転制御）しても良いし、切り替える前の運転信号と選択した運転信号との間の１段ごとの運転信号を順次中間の運転信号として制御（第２の運転制御）しても良い。
【００５２】
前述の第１の運転制御について説明する。
前述のように、運転状態選択手段で３段以上を越えた異なる運転信号を選択したときに、切り替える前の運転信号と選択した運転信号との間の２つ以上の運転信号のいずれか１つの運転信号を、前述した中間の運転信号とし、電動モータの回転速度を前述したように制御する。
【００５３】
例えば、最強、強、中、弱の４つの運転状態を有するレンジフードの場合、最強の運転状態から弱の運転信号を選択したときに、電動モータ１１の回転速度を、最強の運転信号に対応した回転速度から、強又は中の運転信号（中間の運転信号）に対応した回転速度に、前述のようにモータ巻き線の無通電時間がないようにして制御する。
この後に、弱の運転信号に対応した回転速度に、前述のようにモータ巻き線の無通電時間がないようにして制御する。
【００５４】
前述の第２の運転制御について説明する。
前述したように、運転状態選択手段で３段以上を越えた異なる運転信号を選択したときに、切り替える前の運転信号と選択した運転信号の間の２つ以上の１段ごとの運転信号を、それぞれ前述した中間の運転信号として電動モータ１１の回転速度を、切り替える前の速度段から選択した運転信号に対応した速度段まで、各速度段ごとに順次、前述のようにモータ巻き線の無通電状態がないようにして制御する。
【００５５】
例えば、最強の運転状態から弱の運転信号を選択したときに、電動モータ１１の回転速度を、前述の中間の運転信号を強の運転信号とし、その強の運転信号に対応した回転速度に、前述のようにモータ巻き線の無通電時間がないようにして制御する。
この後に、前述の中間の運転信号を中の運転信号とし、その中の運転信号に対応した回転速度に、前述のようにモータ巻き線の無通電時間がないようにして制御する。
その後に、弱の運転信号に対応した回転速度に、前述のようにモータ巻き線の無通電時間がないようにして制御する。
【００５６】
前述した運転制御方法であれば、電動モータ１１の回転速度が、切り替える前の回転速度から選択した運転信号に対応した回転速度に、１速度段ごとに順次制御される。
例えば、電動モータ１１の回転速度が最強運転信号に対応した最高速度段から、強運転信号に対応した高速段、中運転信号に対応した中速度段、中速度段から弱運転信号に対応した低速度段に制御される。
したがって、電動モータ１１の回転速度が急激に変化することがない。
【符号の説明】
【００５７】
１…フード、１０…送風機、１１…電動モータ、１２…ファン、２０…スイッチ（運転状態選択手段）、２１…弱釦、２２…中釦、２３…強釦、２４…切釦、３０…モータ制御部、４１…第１モータ巻き線、４２…第２モータ巻き線、４３…第３モータ巻き線、４４…第１スイッチ、４５…第２スイッチ、４６…第３スイッチ。
【図１】
0005467940.tif 000002
【図２】
0005467940.tif 000003
【図３】
0005467940.tif 000004
【図４】
0005467940.tif 000005
【図５】
0005467940.tif 000006
【図６】
0005467940.tif 000007
【図７】
0005467940.tif 000008
【図８】
0005467940.tif 000009
【図９】
0005467940.tif 000010